(57)【要約】【課題】配送元から配送先まで郵便物等を送付する場合、配送元から配送先まで物質（はがき等の用紙）が移動する必要があったため、移動に対するコストがかかり、配送元はその分の費用を支払う必要があった。【解決手段】配送元から配送先へデジタルデータ可能な情報を配送する場合に、は配送元がセンターサーバにデジタルデータで入力し、配送先にもっとも近い印刷・配送拠点までネットワークを介して配送する情報を配送し、そこから印刷し配達することで安価な配送システムが実現できる。【選択図】図１
2008033864.tif 000002
【特許請求の範囲】
【請求項１】
インターネット等のデジタルネットワークで接続されたクライアント端末から、配送先の郵便住所および名前と、配送先へ配布するテキストまたは画像の情報を書き込みまたはファイルを受信することが可能なセンターサーバ手段と、上記センターサーバと同一ネットワーク上にＩＰアドレスと通して接続されており、センターサーバからネットワークを介して送られてくる情報の印刷を行いかつ配送先へ配送することが可能なＮ箇所の印刷・配送手段と、
を備え、
上記センターサーバ手段は、上記クライアント端末から入力された配送先および配送元の情報に対して、予め決められたデジタルフォーマットで上記Ｎ個の印刷配送手段の内の１つの印刷・配送手段に上記のデジタルフォーマットに格納されたデータの転送を行うことを特徴とし、
上記印刷・配送手段は、上記センターサーバから転送されてきた情報を印刷して配送先に配送することを特徴とするデジタルデータ配信システム。
【発明の詳細な説明】
【技術分野】
【０００１】  この発明は、デジタルデータの配信・配送に関する技術である。
【背景技術】
【０００２】図３は、従来の郵便配達の方法を示した図である。【０００３】次に動作を説明する。
ある情報を作成し配送先へ配送する場合、配送元は予めはがき等の用紙に配送する内容を記載し、郵便ポスト等に投函することにより配送業者へ配送を依頼していた。配送業者は、依頼された用紙を一旦投函されたポストを担当する集配郵便局６０に収集された後、物理的に貨物電車、貨物トラック等を用いて近くの配送郵便局６１まで運び、目的の配送先へ配送していた。
【発明の開示】
【発明が解決しようとする課題】
【０００４】  従来の方法では、配送元から配送先まで物理的の物質（はがき等の用紙）が移動する必要があったため、移動に対するコストがかかり、配送元はその分の費用を支払う必要があった。【０００５】  この発明は、上記のような課題を解決するためになされたもので、配送先へ届ける情報を、配送元から配送先のもつとも経済的に有利な地点まではデジタルネットワークを通してデジタルデータで配送し、配送地点においてプリントおよび配送先への配送をおこなうため、低コストな配信システムを実現することを目的とする。
【課題を解決するための手段】
【０００６】上記課題を解決するため、本発明では、配送先の情報、配送元の住所・名前等配送依頼の情報、内容の情報を、センターサーバまたは分散されたサーバに書き込む手段をもち、もっとも近い配送場所までデジタルネットワークでデジタルデータで転送する手段を有することを特徴とする。
【発明の効果】
【０００７】  以上説明したように、本発明では、配達物をデジタルデータで配送元から配送先のもっとも経済的に有利な印刷・配送拠点３まで転送し、そこで印刷し、配送先まで配達することで、従来の郵便に比較して安価な配送システムが実現できる。
【発明を実施するための最良の形態】
【０００８】
【実施例】
【０００９】      図１は、請求項１に対する配信システムを示した一例を示す図であり、１は配送元のクライアント端末、２はセンターサーバ、３は印刷・配送拠点、４は配送先、１０はクライアントとセンターサーバ２を接続するデジタルネットワーク＃１、１１はセンターサーバ２と印刷・配送拠点３を接続するデジタルネットワーク＃２、１０１はクライアント端末１から配送先へ配送する情報であり、配送先情報１０１−ａ、プリントサイズ等の付加情報１０１−ｂ、配送元情報１０１−ｃ、配送元情報１０１−ｃから配送先情報１０１−ａへのメッセージ１０１−ｄなどを含む。図２は、センターサーバ２において、クライアント端末１からの情報１０１からデジタルフォーマット処理を示す図であり、配送先住所１０１−ａから配送情報の転送先の印刷・配送拠点のＩＰアドレスに変換処理部５０とデジタルデータのフォーマット処理部５１の一例、１０２はフォーマット処理化されたデジタルデータ、２０２はクライアント端末１から入力された配送先情報１０１−ａを元にデジタルデータの転送先の印刷・配送拠点３のＩＰアドレスである。
次に図１および図２に従って、動作を説明する。
クライアント端末１から配送元情報１０１−ｃ、配送先情報１０１−ａ、配送内容のメッセージ１０１−ｄ、付加情報１０１−ｂを記載した情報１０１がセンターサーバ２へ送られる。センターサーバ２は図２に示すようにアドレス変換処理部５０により、配送先情報１０１−ａを配達を担当する印刷・配送拠点３−ｎが持つＩＰアドレス２０２に変換するとともに変換されたＩＰアドレスに配送先が受けとる必要のある情報をデジタルフォーマット１０２にて送信する。デジタルネットワーク＃２は、センターサーバ２と印刷・配送拠点３を接続するプライベートネットワークであるのが一般的である。【００１０】上記デジタルフォーマット１０２は、図２に示すデータフォーマットを一例とするように、配送先情報１０１−ａ、配送元情報１０１−ｃ、プリント用紙のサイズ等の付加情報１０１−ｂ、配送元から配送先へのメッセージ情報１０１−ｄを含み、印刷・配送拠点３−ｎは、付加情報１０１−ｂを元に適切な方法で印刷される。【００１１】印刷された情報は、通常のはがき等の郵便物と同じように、印刷・配送拠点３−ｎから配送先４へ郵送される。
これにより、配送先にもっとも経済的に有利な印刷・配送拠点３−ｎまでデジタルデータで配送されることで、低コストな配信サービスが提供できることになる。
【図面の簡単な説明】
【００１２】
【図１】  本発明の実施の全体システム構成を示す図である。
【図２】  センターサーバにおける住所からＩＰアドレスへの変換処理部の一例と、各印刷・配送拠点への配送データのデジタルフォーマットのフォーマット処理部の一例を示す図である。
【図３】  従来の配送システムである。
【符号の説明】
【００１３】１  クライアント端末
２  センターサーバ
３  印刷・配送拠点
４  配送先
１０  デジタルネットワーク＃１
１１  デジタルネットワーク＃２
５０  センターサーバにおけるアドレス変換処理部
５１  センターサーバにおけるフォーマット処理部
６０  配送元の情報を収集する郵便局Ａ
６１  配送先にもつとも近い郵便局Ｂ
１０１  配送元からセンターサーバへの情報
１０１−ａ  配送元からセンターサーバの情報に含まれる配送先情報
１０１−ｂ  配送元からセンターサーバの情報に含まれる付加情報
１０１−ｃ  配送元からセンターサーバの情報に含まれる配送元情報
１０１−ｄ  配送元からセンターサーバの情報に含まれるメッセージ
１０２  センターサーバから配送先へのデジタルデータ
２０２  センターサーバのアドレス変換処理部５０により変換されたＩＰアドレス
２５０  従来の配送情報の輸送経路
【図１】
2008033864.tif 000003
【図２】
2008033864.tif 000004
【図３】
2008033864.tif 000005